(57)【要約】      （修正有）【課題】加盟店端末および購入希望者をネットワークを介して接続する仲介者サーバにおいて、商品の提供元である加盟店から最新の画像情報を独占的に視聴する権利を付けた購入優先権を入札対象とする取引方法を提供する。【解決手段】商品情報をリアルタイムで閲覧する独占的視聴権の付いた商品の購入優先権についての、商品価格の手付金の金額によって入札する入札要求を、購入希望者端末から受信する入札要求受信ステップと、取引管理情報テーブルに格納された前記購入優先権についての入札金額を参照して、該入札金額より高い金額で前記入札要求を行った前記購入希望者に前記購入優先権を授与する判定を行う購入優先権授与ステップと、前記購入優先権を授与した購入希望者が使用する購入希望者端末に対し、前記加盟店端末からの前記対象商品のリアルタイムの商品情報を配信する商品情報配信ステップとを有することを特徴とする商品の取引方法。【選択図】      図１
2004227342.tif 000002
【特許請求の範囲】
【請求項１】
ネットワークを介して商品を販売する加盟店が使用する加盟店端末および該商品の購入希望者が使用する購入希望者端末と接続された仲介者サーバにおける購入優先権による商品の取引方法であって、
対象商品の商品情報をリアルタイムで閲覧する独占的視聴権の付いた商品の購入優先権についての、商品価格の手付金の金額によって入札する入札要求を、購入希望者端末から受信する入札要求受信ステップと、
取引管理情報テーブルに格納された前記購入優先権についての入札金額を参照して、該入札金額より高い金額で前記入札要求を行った前記購入希望者に前記購入優先権を授与する判定を行う購入優先権授与ステップと、
前記購入優先権を授与した購入希望者が使用する購入希望者端末に対し、前記加盟店端末からの前記対象商品のリアルタイムの商品情報を配信する商品情報配信ステップとを有することを特徴とする商品の取引方法。
【請求項２】
前記購入優先権に付く前記独占的視聴権により商品情報を閲覧できる時間が、所定の時間に制約されていることを特徴とする請求項１記載の商品の取引方法。
【請求項３】
ネットワークを介して商品を販売する加盟店が使用する加盟店端末および該商品の購入希望者が使用する購入希望者端末と接続された仲介者サーバにおける購入優先権による商品の取引プログラムであって、
コンピュータに、
対象商品の商品情報をリアルタイムで閲覧する独占的視聴権の付いた商品の購入優先権についての、商品価格の手付金の金額によって入札する入札要求を、購入希望者端末から受信する入札要求受信ステップと、
取引管理情報テーブルに格納された前記購入優先権についての入札金額を参照して、該入札金額より高い金額で前記入札要求を行った前記購入希望者に前記購入優先権を授与する判定を行う購入優先権授与ステップと、
前記購入優先権を授与した購入希望者が使用する購入希望者端末に対し、前記加盟店端末からの前記対象商品のリアルタイムの商品情報を配信する商品情報配信ステップとを実行させるための商品の取引プログラム。
【発明の詳細な説明】
【０００１】
【発明の属する技術分野】
加盟店端末および購入希望者をネットワークを介して接続する仲介者サーバにおいて、商品の提供元である加盟店から商品情報の内、ホットな最新の映像を含む最新の画像情報を独占的に視聴する権利を付けた購入優先権をオークションにかけ、購入希望者からの入札を行う商品の取引方法。
【０００２】
【従来の技術】
従来、インターネット等ネットワークを介して、仲介者（市場運営者）が、加盟店等からの出展商品を自サーバのデータベースに蓄え、利用者に商品をオークション形式でリアルタイムに販売する商品取引が提案されている（例えば、特許文献１参照）。また、リアルタイムのオークションのデメリットをカバーするやり方として、複数の入札者に対し購入権の順番を決め、その順番に従って購入権を順次移動し、順番が一巡する毎に販売金額を変更する方法の提案がなされている（特許文献２参照）。
【０００３】
【特許文献１】
特開平１０−７８９９２号公報（第２〜１０頁）
【０００４】
【特許文献２】
特開２００１−３５７２５１号公報（第２〜８頁）
【０００５】
【発明が解決しようとする課題】
しかしながら、従来の商品を売買する、例えば、特開平１０−７８９９２号公報にあるようなオークション方式では、商品をオークション形式で売買すると購入金額が高騰することが多い。また、購入する際に、商品の現在の状況（ネットワークの仲介者サーバに登録した時のデータとの差異）を把握することが難しく、そのため、購入希望者が商品に対しての現在の商品状況の情報が得られないことにより、これまでネットワークを介した商品売買においては、日々成長し続ける商品、例えば、ペット等の一点物を扱うことは難かしかった。
【０００６】
特開２００１−３５７２５１号公報の入札者に商品の購入権の順番を与える方法においても、複数の入札者が一巡した段階で金額が変更となり、本質的には商品価格の高騰は免れない。また、上記した一点物の商品を扱う困難さは同様にあり、オークションの欠点を抱えている。
そこで、上記した従来の欠点を解決するため、本発明では、商品自体を直接オークションにかけるのではなく、商品に時限の独占的視聴権付きの購入優先権を設定し、この購入優先権をネットワークで売買できる仕組みとし、購入希望者が、ネットワーク上で購入優先権を買うことで、所定の時間、対象とする商品の動画をリアルタイムで見ることができ、購入の意志が固まれば商品を購入することができるようにした。また、購入優先権は、設定時間内にあっても、高い額を提示した購入希望者による横取りができ、購入が決まったら、購入優先権の入札額を含む商品の当初価格にて売買が行われるシステムとした。
【０００７】
【課題を解決するための手段】
第一の発明は、ネットワークを介して商品を販売する加盟店が使用する加盟店端末および該商品の購入希望者が使用する購入希望者端末と接続された仲介者サーバにおける購入優先権による商品の取引方法であって、対象商品の商品情報をリアルタイムで閲覧する独占的視聴権の付いた商品の購入優先権についての、商品価格の手付金の金額によって入札する入札要求を、購入希望者端末から受信する入札要求受信ステップと、取引管理情報テーブルに格納された前記購入優先権についての入札金額を参照して、該入札金額より高い金額で前記入札要求を行った前記購入希望者に前記購入優先権を授与する判定を行う購入優先権授与ステップと、前記購入優先権を授与した購入希望者が使用する購入希望者端末に対し、前記加盟店端末からの前記対象商品のリアルタイムの商品情報を配信する商品情報配信ステップとを有することを特徴とする商品の取引方法に関する。
【０００８】
すなわち、第一の発明によれば、入札要求受信手段が、対象商品のリアルな情報を独占的に閲覧する権利の付いた購入優先権を当該商品の価格の手付金で入札させることによって、購入希望者からの入札要求を受け付け、購入優先権授与手段が、格納された取引情報管理テーブルの入札状況を参照して、該購入希望者の入札金額が、取引中の入札金額を上回れば購入優先権を授与する。このように、商品価格の手付金によって申し込む仕組みとすることで、複数の購入希望者による競り入札を可能とし、対象商品を購入する前に、加盟店の映像等によるホットな商品情報が独占的に閲覧できることとなる。
【０００９】
購入希望者にとっては、商品を購入するにあたって、データベースに格納された登録時のデータだけで判断することなく、現在時点のホットな情報を見て判断できるため、例えば、対象とする商品が、ペット等の一点物である場合、その後、成長した現在の映像等に関する情報が得られ、商品購入への意思決定をより確実にする。また、購入優先権は商品価格の手付金での入札によるため、実際の商品購入の取引は当初価格で売買され、商品自体をオークションするのと違って価格が高騰する心配はなくなり、安定した取引が行われる。
【００１０】
第二の発明は、前記購入優先権に付く前記独占的視聴権により商品情報を閲覧できる時間が、所定の時間に制約されていることを特徴とする上記第二の発明に記載の商品の取引方法に関する。
すなわち、第二の発明によれば、購入優先権を取得すると、加盟店からの対象商品の現在状況に関する映像等による商品情報を、一定時間、独占して視聴できるので、購入希望者は、十分検討する時間が持て納得した上で購入の意思決定を下すことができる。また、他の購入希望者が購入優先権を所有していても、より高い入札金額で申し込めば横取りする仕組みを付加させることも可能であり、対象商品に対しより強い関心のある購入希望者にタイムリーな機会を提供することになり、商品取引を活発化させるものとなる。
【００１１】
【発明の実施の形態】
以下、図面にもとづいて本発明の実施形態を説明する。
図１は、本発明の実施の形態になる基本システム構成を示す。加盟店から提供される商品に関する情報を格納したデータベース２を備える仲介者サーバ１と購入者端末３および加盟店端末４とがネットワーク５を介して接続され、仲介者サーバ１が、購入者端末３からの要求に応じて、データベース２に格納された加盟店端末４からの出品商品の情報を検索し、対象商品の商品情報を配信して商品の取引を行う。
【００１２】
さらに、データベース２は、加盟店テーブル２１、商品の特徴を示す静止画像としての画像情報および商品の映像を記録した録画情報を含む加盟店からの出展商品に関する商品情報を登録した商品マスタ２２、購入希望者テーブル２３、および購入優先権の取引状況を格納した取引管理情報テーブル２４を有する。
仲介者サーバ１は、データベース２を有するコンピュータであり、商品情報登録手段１１、取引管理情報格納手段１２、商品検索手段１３、入札要求受信手段１４、購入優先権授与手段１５、および商品情報配信手段１６の各手段は、予め内蔵された取引プログラム１０がコンピュータ上で実行されることにより実現されるものである。当該プログラムは、フロッピーディスク、ＣＤ−ＲＯＭ等のコンピュータ読取可能な記録媒体に記録され、図には示していないが、内蔵あるいは外部接続された媒体読取装置にセットし、インストールすることによって実行可能な状態としてもよい。
【００１３】
図２は、本発明の実施の形態になる取引構成図を示す。仲介者サーバ１、加盟店端末４、および購入希望者端末３（購入希望者Ａ、Ｂの使用端末）の間の取引の流れを示している。本実施例では、加盟店としては、ペットショップ等の生き物を扱う店を想定しており、対象商品は、犬、猫など日々育成をともなう商品を例としている。
【００１４】
仲介者サーバ１は、まず、加盟店端末４から出展のための画像を含む商品情報を受け付け、データベース２に予め登録する。また、対象商品の現在のリアルな状況を示すカメラ映像（以下、ＬＩＶＥ映像と表現する。）が、常時、ストリーミングデータとして加盟店端末４から仲介者サーバ１に送信され、仲介者サーバ１において、このＬＩＶＥ映像を独占的に視聴する権利の付いた購入優先権を取引対象として複数の購入希望者の競り入札が行われ、購入優先権を取得した購入希望者端末３へのＬＩＶＥ映像の配信を管理する取引管理情報テーブル２４をデータベース２に格納しておく。
【００１５】
つぎに、購入希望者端末３からの希望商品の条件の入力を受けて、データベース２に登録された商品を検索し、条件に合致する希望商品の情報を購入希望者端末３に送信する。さらに、送信した商品情報を基に、購入希望者が絞り込んだデータを受けて、購入希望商品の特定を行う。特定された購入希望商品のいくつかの候補商品の画面データを購入希望者端末３に送信し、商品の現在状況の情報を一定時間独占する購入優先権の入札を促す。そして、購入優先権を取得した購入希望者端末３に対象商品のＬＩＶＥ映像を配信し、視聴した結果によって売買が行われる。
【００１６】
以下、さらに、購入優先権による商品の取引方法の本発明の仕組みについて、表１〜表６を用いて詳述する。購入優先権は、加盟店からリアルタイムで配信される最新のカメラ映像（ＬＩＶＥ映像）を独占的に視聴できる権利の付いた商品購入の優先権であり、複数の購入希望者の間で、商品価格内の手付金によって競り入札される。購入が決定された場合には、手付金を含めた商品の当初価格で取引される。ここで取引の対象となる商品αは、期間によって成長し、変化するペット等の一点物商品をイメージしている。
【００１７】
表１〜表６は、購入優先権を競り入札による取引を行うときの商品取引の関係者間、即ち、購入希望者（Ａ、Ｂ）、仲介者、および加盟店間でやりとりされる取引金額の推移を６つのケースについて示している。取引条件は、いずれのケースも、商品価格９９，０００円、ＬＩＶＥ映像視聴料金１，０００円／１０分、仲介者の手数料２％と設定している。
【００１８】
【表１】
2004227342.tif 000003
【００１９】
表１における取引は、商品購入にまで至らない視聴のみのケースで、購入希望者Ａが商品αの購入優先権を１，０００円で入札し、ＬＩＶＥ映像を９：００から９：１０までの１０分間視聴し終了した場合を示しており、購入希望者Ａは１，０００円を仲介者に配信料として支払う。
【００２０】
【表２】
2004227342.tif 000004
【００２１】
表２における取引は、商品購入決定のケースで、購入希望者Ａが商品αの購入優先権を１，０００円で入札し、ＬＩＶＥ映像を９：００から９：１０まで視聴し、その間に購入の意志表示を行った場合を示しており、購入希望者Ａは、商品代金として当初の商品価格から入札金額１，０００円を差し引いた９８，０００円を加盟店に支払う。結局、総額では、当初価格９９，０００円が加盟店への支払となる。そして、仲介者には、成功報酬として当初価格の２％である１，９８０円が、加盟店から仲介手数料として支払われる。
【００２２】
【表３】
2004227342.tif 000005
【００２３】
表３における取引は、横取り視聴のケースで、購入希望者Ａが商品αの購入優先権を１，０００円で入札し、ＬＩＶＥ映像を５分間視聴した時点で、購入者Ｂが、当該購入優先権を１，２００円で入札し、購入希望者Ａからの譲渡を受け、１０分間完全に視聴して終了した場合を示している。この場合、購入希望者Ａは、実質の視聴時間相当分の５００円の料金を仲介者に支払い、次に譲渡を受けた購入希望者Ｂは、視聴終了の時点で、１，２００円を視聴料として仲介者に支払うことになる。
【００２４】
【表４】
2004227342.tif 000006
【００２５】
表４における取引は、複数人による視聴のみのケースで、購入希望者Ａが商品αの購入優先権を１，０００円で入札し、ＬＩＶＥ映像を１０分間視聴した後、購入希望者Ｂが購入優先権を１，０００円で入札し、ＬＩＶＥ映像を１０分間視聴し終了となった場合を示しており、購入希望者Ａ、Ｂからの代金がそれぞれ仲介者に支払われる。
【００２６】
【表５】
2004227342.tif 000007
【００２７】
表５における取引は、横取り視聴後購入決定のケースで、まず、購入希望者Ａが商品αの購入優先権を１，０００円で入札し、ＬＩＶＥ映像を５分間視聴した時点で、購入希望者Ｂが１，２００円で入札し、その後、商品αの購入に至った場合を示している。この場合、購入希望者Ａは、実質の視聴時間相当分の５００円の視聴料を仲介者に支払い、購入希望者Ｂは、入札金額の１，２００円は商品αの当初価格９９，０００円に含んで加盟店に支払い、売買成立の手数料として２％の手数料１，９８０円が加盟店から仲介者に支払われることとなる。
【００２８】
【表６】
2004227342.tif 000008
【００２９】
表６における取引は、横取り不成立のケースで、購入希望者Ａが商品αの購入優先権を１，０００円で入札し、ＬＩＶＥ映像を満了時間に満たない５分間だけ視聴した時点で、購入希望者Ｂから１，２００円での入札があったが、間髪を入れずに、購入希望者Ａが１，５００円で買い戻した場合を示している。この場合、購入希望者Ａは、最初の譲渡時点で実質の視聴時間相当分の５００円を仲介者に支払い、また、購入希望者Ｂの支払金は譲渡不成立によりゼロとなり、さらに、買い戻し入札し視聴を終了した時点で、購入希望者Ａは、入札した視聴料金１，５００円を仲介者に支払うこととなる。なお、実施例では、分以下の視聴料はカウントしないものとしている。
【００３０】
図３は、本発明の実施の形態になる加盟店テーブルを示す。加盟店テーブル２１は、加盟店ＩＤ１０１、加盟店名１０２、扱い商品１０３、地区コード１０４、住所１０５、映像機器名１０６、および映像機器ＩＤ１０７の項目を有する複数のレコードで構成される。加盟店ＩＤ１０１は、商品情報の提供元である加盟店を特定するコード番号であり、地区コード１０４は、渋谷、新宿等の加盟店の属する地域コードを示し、映像機器名１０６、および映像機器ＩＤ１０７は、犬、猫等ペット商品の現時点での成長の様子を撮影するビデオカメラの機器名であり、その固有のＩＤを表し、配信映像の受信側とインターフェースを合わせるのに必要とされるものである。
【００３１】
図４は、本発明の実施の形態になる商品マスタを示す。商品マスタ２２は、商品ＩＤ２０１、商品区分２０２、商品名２０３、犬種２０４、大きさ２０５、性別２０６、年齢２０７、および価格２０８、また、商品の特徴を表す静止画の画像情報として、画像ＩＤ２０９、および画像タイトル２１０、さらに、商品の特徴を示す動画像である録画映像情報として、録画ＩＤ２１１、録画時刻２１２、録画時間２１３、録画タイトル２１４、および加盟店ＩＤ２１５の項目を有する複数のレコードで構成される。
【００３２】
商品ＩＤ２０１、加盟店ＩＤ１０１は，商品および加盟店を特定するコード番号であり、商品区分２０２は、犬、猫等の商品の総称であり、２０４〜２０８の項目は商品の特徴を示す。また、画像ＩＤ２０９は、商品の特徴を表す静止画を特定するコードであり、特徴に相応しい画像タイトル２１０が付けられる。
録画映像情報は、予め加盟店で録画された商品の映像を出展時点で登録しておくもので、録画ＩＤ２１１は、録画映像を特定するコード番号であり、録画時刻２１２、録画時間２１２、その映像の場面に相応しい録画タイトル２１４が付される。さらに、加盟店ＩＤ２１５を各商品毎に合わせて登録しておくことで、一連の商品情報の出展元を明らかにしている。
【００３３】
図５は、本発明の実施の形態になる購入希望者テーブルを示す。購入希望者テーブル２５は、購入希望者ＩＤ３０１、購入希望者の氏名３０２、住所３０３、希望商品３０４ａ、３０４ｂ、・・・３０４ｎの項目を有する複数のレコードで構成される。
図６は、本発明の実施の形態になる取引管理情報テーブルを示す。取引管理情報テーブル２４は、加盟店においてビデオカメラで商品の現在の様子が撮影され、ストリーミングデータとして送信されるＬＩＶＥ映像を視聴する商品の購入優先権について、購入希望者による入札と映像の配信を管理するもので、映像機器ＩＤ４０１、商品ＩＤ４０２、購入希望者ＩＤ４０３、開始時間４０４、終了時間４０５、および入札金額４０６の項目を有する複数のレコードで構成される。
開始時間４０４および終了時間４０５は、購入優先権を入札した購入希望者がＬＩＶＥ映像を視聴を開始し、終了する時間を示す。また、入札金額４０６は、購入優先権の入札価格を示す。
【００３４】
図７は、本発明の実施の形態になる画面イメージの例（静止画）を示す。本実施例は、仲介者サーバ１が、購入希望者の希望商品に対する検索結果として、候補商品の選択画面例を静止画で示している。絞り込みの条件として、犬、小型、関東地区、１歳以下、１０万円以下などが入力された結果として、商品ａ１、ａ２、ａ３・・・、ａ９の小型犬のサムネイルによる静止画の選択画面が、購入希望者端末３に提示される。
【００３５】
図８は、本発明の実施の形態になる画面イメージの例（録画映像）を示す。本実施例では、図９の静止画像に代わって、録画映像を含む詳細情報が表示され、商品ａ１の犬は、オス、３ケ月、血統書付き、価格５万７千円などの情報とともに録画映像のサムネイル画面の例を示している。商品ａ４のＬＩＶＥ中の表示は、購入優先権を取得した購入希望者がＬＩＶＥ映像を視聴している最中であることを示している。
【００３６】
図９は、本発明の実施の形態になる画面イメージの例（ＬＩＶＥ映像）を示す。本実施例では、図８において、商品ａ９が選択されたＬＩＶＥ映像による画面例を示している。加盟店にある商品の現在の様子がリアルタイムに把握できる。
表示画面では、１，２００円で購入優先権を入札し、ＬＩＶＥ映像の視聴時間は、残り９分３４秒であることを示している。
【００３７】
以下に、本発明の商品の取引方法をフローチャートを用いて説明する。
図１０は、本発明の実施の形態になる仲介者サーバにおける商品情報登録のフローチャートを示す。商品情報登録手段１１が、まず、ステップＳ１１において、ネットワーク５を介して、取引に参加する加盟店から取り扱う商品分野等の加盟店自身の情報および出展商品の商品情報を取得し、データベース２にそれぞれ加盟店ＩＤおよび商品ＩＤを付与して加盟店テ−ブル２３および商品マスタ２１として登録する。つぎに、ステップＳ１２で、出展商品の特徴を表す画像情報および映像の録画情報を、デ−タベ−ス２の商品マスタに画像情報および録画情報として追加登録する。また、ステップＳ１３で、取引に参加する購入希望者をＩＤとともに購入希望者テ−ブル２３として登録し、さらに、ステップＳ１４において、購入優先権を取得した購入希望者へ配信する加盟店からのＬＩＶＥ映像を管理する取引管理情報を取引管理情報テ−ブル２４として格納する。
【００３８】
図１１は、本発明の実施の形態になる商品購入のフローチャ−ト（その１）を示す。購入希望者による希望商品の検索条件を入力（ステップＳ２１）を受けて、ステップＳ２２において、仲介者サーバ１の商品検索手段１３が、デ−タベ−ス２の商品マスタ２２の商品情報を検索し、ステップＳ２３にて、希望商品の条件への一致を判断し、条件が合えば、得られた希望商品の画像情報（静止画）を含む複数のサムネイルによる画面表示デ−タを購入者端末３に送信する。また、ステップＳ２３で、該当する商品がなければ、入力されたつぎの商品条件を検索する。
【００３９】
つぎに、購入希望者端末３の側では、ステップＳ２６において、画面表示デ−タを受信し、自端末に表示する。なお、サムネイルによる画面は、子画面をクリックすることによって拡大して見ることができる。ステップＳ２７において、さらに、詳細情報として、商品の録画映像を必要とするかを判断し、必要であれば仲介者サーバ１に要求する。仲介者サーバ１は、ステップＳ２８で、録画映像情報の要求を受けてデータベース２に登録された録画映像を送信する。ステップＳ２９で、購入希望者は録画映像を表示して閲覧する。以上の処理によって、購入優先権による取引に至る商品の絞込みが完了する。
【００４０】
そして、さらに進んで、ステップＳ３０において、商品の育成状況を撮影した生のＬＩＶＥ映像が視聴したければ、商品の購入優先権を競り入札する購入取引へと移行する。
図１２は、本発明の実施の形態になる商品購入のフローチャート（その２）を示す。購入希望者端末３からのＬＩＶＥ映像視聴の依頼が入力されると（ステップ４１）、ステップＳ４２において、仲介者サーバ１の入札要求受信手段１４は、その入力データを受信し、取得した購入優先権による対象商品の取引条件および状況についてのデータを購入希望者端末３送信する。例えば、ＬＩＶＥ映像視聴料金は、１，０００円／１０分を単位とし、他に誰かが試聴中であるか、また、残時間はいくらか等の情報を画面データとして提示する。提示した購入優先権によるＬＩＶＥ映像の視聴条件の画面情報をもとに、ステップＳ４３で、購入希望者端末３においてＬＩＶＥ映像視聴のための入札データが入力され、仲介サーバ１の購入優先権授与手段１５が、ステップＳ４４で、その入札データを受けて対象商品のＬＩＶＥ映像を視聴させる購入優先権を授与する。続いて、商品情報配信手段１５が、ステップＳ４５において、加盟店端末４からのＬＩＶＥ映像を取得し、購入優先権を授与し該映像の視聴権を与えた購入希望者端末３にＬＩＶＥ映像の配信を行う。
【００４１】
その後、購入希望者端末３において、ＬＩＶＥ映像を受信し視聴された結果（ステップＳ４６）、商品購入の決定がなされれば（ステップＳ４７）、仲介者サーバ１が、加盟店端末４に対し対象商品の売買成立を通知する（ステップＳ４８）。それを受けて、後に加盟店から実商品の発送が行われる。
図１３は、本発明の実施の形態になる仲介者サーバにおける購入優先権横取りのフローチャートを示す。まず、ステップＳ５１で、購入希望者端末３から他者に使用されているＬＩＶＥ映像の視聴依頼データを受信し、ステップＳ５２において格納された取引管理情報テーブル２４を参照し、ステップＳ５３で、購入優先権の横取り取引が可能かを判断する。横取りが可能であれば、ステップＳ５４において、対象商品の購入優先権の譲渡を許可し、ステップＳ５５において、他の購入希望者に配信されている当該ＬＩＶＥ映像を、より高額の金額提示で新しく入札した購入希望者に切り替えて配信を行う。また、現在視聴中の購入希望者が、横取りの入札価格以上の高い金額を提示することによって、購入優先権はそのまま維持され、横取り取引が不成立であれば、ステップＳ５６で、その旨を横取りを入れた購入希望者に横取り不可の通知を行う。
【００４２】
以上、購入希望者が横取り取引を欲する場面としては、保存画面を視聴して気に入った商品があり、どうしても購入したいというケース、また、他者が既にＬＩＶＥ映像（購入優先権）を見ており、このままでは購入されると思われるケース、さらには、ＬＩＶＥ映像視聴時に、商品の傍にある物（段ボールや餌、カメラ等）を自由に動かすことを可能とし、自分でカメラアングルを変更したい、餌を食べる様子を見てみたい、ボールで遊んでいる姿を確認したい等、いろいろな角度から商品に対してアプローチしたいケース等が考えられ、本発明の商品取引は、これらのケースへの対応を容易にするものとなる。すなわち、現時点での商品の状況を把握した上での商品購入の意思決定が可能となり、ペット等育成を伴う商品をネットワーク環境下で売買することを可能とする。
【００４３】
通常の商品の場合は、同一商品が存在するが、ペット等生き物の場合は、一点物であるため、自分の気に入った商品が他人に取られた場合には、代わりの商品を購入するしかなくなる。そのため、自分が気に入った商品に対しては、購買意欲が高く、それが購入金額の高騰を招くことにも繋がりかねない。本発明では、商品価格の中にＬＩＶＥ映像を視聴料金が含まれるため、商品自体の購入価格の高騰が避けられる。また、横取り取引のシステムにより、決めかねていた購入希望者の意思決定に拍車がかかり、スムーズな商品売買が期待できる等の付加価値が生じる。
【００４４】
（付記１）  ネットワークを介して商品を販売する加盟店が使用する加盟店端末および該商品の購入希望者が使用する購入希望者端末と接続された仲介者サーバにおける購入優先権による商品の取引方法であって、
対象商品の商品情報をリアルタイムで閲覧する独占的視聴権の付いた商品の購入優先権についての、商品価格の手付金の金額によって入札する入札要求を、購入希望者端末から受信する入札要求受信ステップと、
取引管理情報テーブルに格納された前記購入優先権についての入札金額を参照して、該入札金額より高い金額で前記入札要求を行った前記購入希望者に前記購入優先権を授与する判定を行う購入優先権授与ステップと、
前記購入優先権を授与した購入希望者が使用する購入希望者端末に対し、前記加盟店端末からの前記対象商品のリアルタイムの商品情報を配信する商品情報配信ステップとを有することを特徴とする商品の取引方法。
【００４５】
（付記２）  前記購入優先権に付く前記独占的視聴権により商品情報を閲覧できる時間が、所定の時間に制約されていることを特徴とする付記１記載の商品の取引方法。
（付記３）  ネットワークを介して商品を販売する加盟店が使用する加盟店端末および該商品の購入希望者が使用する購入希望者端末と接続された仲介者サーバにおける購入優先権による商品の取引プログラムであって、
コンピュータに、
対象商品の商品情報をリアルタイムで閲覧する独占的視聴権の付いた商品の購入優先権についての、商品価格の手付金の金額によって入札する入札要求を、購入希望者端末から受信する入札要求受信ステップと、
取引管理情報テーブルに格納された前記購入優先権についての入札金額を参照して、該入札金額より高い金額で前記入札要求を行った前記購入希望者に前記購入優先権を授与する判定を行う購入優先権授与ステップと、
前記購入優先権を授与した購入希望者が使用する購入希望者端末に対し、前記加盟店端末からの前記対象商品のリアルタイムの商品情報を配信する商品情報配信ステップとを実行させるための商品の取引プログラム。
【００４６】
（付記４）  ネットワークを介して商品を販売する加盟店が使用する加盟店端末および該商品の購入希望者が使用する購入希望者端末と接続された仲介者サーバにおける購入優先権による商品の取引プログラムを記録した記録媒体であって、
コンピュータに、
対象商品の商品情報をリアルタイムで閲覧する独占的視聴権の付いた商品の購入優先権についての、商品価格の手付金の金額によって入札する入札要求を、購入希望者端末から受信する入札要求受信ステップと、
取引管理情報テーブルに格納された前記購入優先権についての入札金額を参照して、該入札金額より高い金額で前記入札要求を行った前記購入希望者に前記購入優先権を授与する判定を行う購入優先権授与ステップと、
前記購入優先権を授与した購入希望者が使用する購入希望者端末に対し、前記加盟店端末からの前記対象商品のリアルタイムの商品情報を配信する商品情報配信ステップとを実行させるための商品の取引プログラムを記録したコンピュータ読み取り可能な記録媒体。
【００４７】
（付記５）  ネットワークを介して商品を販売する加盟店が使用する加盟店端末および該商品の購入希望者が使用する購入希望者端末と接続された仲介者サーバにおける購入優先権による商品の取引装置であって、
対象商品の商品情報をリアルタイムで閲覧する独占的視聴権の付いた商品の購入優先権についての、商品価格の手付金の金額によって入札する入札要求を、購入希望者端末から受信する入札要求受信手段と、
前記対象商品を特定する情報と前記商品の購入優先権に対する入札金額とを対応付けて管理する取引管理情報テーブルと、
取引管理情報テーブルに格納された前記購入優先権についての入札金額を参照して、該入札金額より高い金額で前記入札要求を行った前記購入希望者に前記購入優先権を授与する判定を行う購入優先権授与手段と、
前記購入優先権を授与した購入希望者が使用する購入希望者端末に対し、前記加盟店端末からの前記対象商品のリアルタイムの商品情報を配信する商品情報配信手段とを有することを特徴とする商品の取引装置。
【００４８】
（付記６）  加盟店からのリアルタイムの商品情報を独占的に視聴する権利を有する購入優先権について、購入希望者に商品価格の手付金として入札させ、前記購入優先権を最終的に落札した購入希望者に、前記手付金を含む当初価格を商品の購入代金として支払請求する商品の取引方法。
【００４９】
【発明の効果】
商品の現在の状況を見て購入の判断が可能なため、動物等の育成を伴う生体の売買が可能となる。また、従来のオークション形式とは異なり、一定時間を過ぎると商品の購入権が消滅してしまうため商品の高騰が防げる。さらに、商品購入金額に購入優先権の取得金額が組み込まれるため、購入者の支払い金額を商品価格のみに抑えることができる。
【図面の簡単な説明】
【図１】本発明の実施の形態になる基本システム構成を示す図である。
【図２】本発明の実施の形態になる取引構成図である。
【図３】本発明の実施の形態になる加盟店テーブルを示す図である。
【図４】本発明の実施の形態になる商品マスタを示す図である。
【図５】本発明の実施の形態になる購入希望者テーブルを示す図である。
【図６】本発明の実施の形態になる取引管理テーブルを示す図である。
【図７】本発明の実施の形態になる画面イメージの例（静止画）を示す図である。
【図８】本発明の実施の形態になる画面イメージの例（録画映像）を示す図である。
【図９】本発明の実施の形態になる画面イメージの例（ＬＩＶＥ映像）を示す図である。
【図１０】本発明の実施の形態になる仲介者サーバにおける商品情報登録のフローチャートを示す図である。
【図１１】本発明の実施の形態になる商品購入のフローチャート（その１）を示す図である。
【図１２】本発明の実施の形態になる商品購入のフローチャート（その２）を示す図である。
【図１３】本発明の実施の形態になる仲介者サーバにおける購入優先権横取りのフローチャートを示す図である。
【符号の説明】
１  仲介者サーバ
２  データベース
３  購入希望者端末
４  加盟店端末
５  ネットワーク
１０  取引プログラム
１１    商品情報登録手段
１２  取引管理情報格納
１３  商品検索手段
１４  入札要求受付手段
１５  購入優先権授与手段
１６  商品情報送信手段
２１  加盟店テーブル
２２  商品マスタ
２３  購入希望者テーブル
２４  取引管理情報テーブル
【図１】
2004227342.tif 000009
【図２】
2004227342.tif 000010
【図３】
2004227342.tif 000011
【図４】
2004227342.tif 000012
【図５】
2004227342.tif 000013
【図６】
2004227342.tif 000014
【図７】
2004227342.tif 000015
【図８】
2004227342.tif 000016
【図９】
2004227342.tif 000017
【図１０】
2004227342.tif 000018
【図１１】
2004227342.tif 000019
【図１２】
2004227342.tif 000020
【図１３】
2004227342.tif 000021